(57)【特許請求の範囲】
【請求項１】
筐体と、
該筐体の上面の左および右に配置された２チャンネルのスピーカユニットと、
前記筐体の上面の左右方向の中央に設けられたバスレフポートと、
該バスレフポートに接続されたバスレフダクトと、
を備え、
前記筐体は、前記２チャンネルのスピーカユニットおよび前記バスレフダクトを収容する１つのキャビティを内部に有し、
前記バスレフポートは、前記筐体の上面の一端の近傍に設けられ、
前記バスレフダクトは、前記筐体の内部で前記２チャンネルのスピーカユニットの間に配置され、前記筐体の内部の前記一端から前記筐体の他端の側面手前まで伸びることを特徴とする、
スピーカ装置。
【請求項２】
前記筐体は、前記スピーカユニットの高さの２倍以下の高さである請求項１に記載のスピーカ装置。
【請求項３】
前記筐体の上面は、手前方向に傾斜していることを特徴とする請求項１または請求項２に記載のスピーカ装置。
【請求項４】
前記筐体の上面に、操作子を備えた操作パネルをさらに備えた請求項１乃至請求項３のいずれかに記載のスピーカ装置。
【請求項５】
前記筐体は円柱を斜めに切断した形状であることを特徴とする請求項１乃至請求項４のいずれかに記載のスピーカ装置。
【発明の詳細な説明】
【技術分野】
【０００１】
本発明は、ステレオのスピーカ装置に関し、特に小型または卓上型のスピーカ装置に関する。
【背景技術】
【０００２】
一般的なステレオスピーカシステムは、左右チャンネル用のスピーカボックスを備え、これらが左右に配列される構成である（たとえば、特許文献１参照）。このため、設置面積が大きくなり、卓上に設置するには不向きである。
【０００３】
そこで、一体型にして小型化したステレオスピーカシステムも従来より多く提案されている（たとえば特許文献２）。この従来の小型ステレオスピーカシステムは、横長の形状で、筐体の左右にスピーカキャビティを有し、中央部に操作部とアンプ等の回路部を有するものであった。
【先行技術文献】
【特許文献】
【０００４】
【特許文献１】特開平０９−０９８４９５号公報
【０００５】
【特許文献２】特開平０９−０９２３４５号公報
【発明の概要】
【発明が解決しようとする課題】
【０００６】
しかし、特許文献２のものは、やはり筐体が内部で３分割されており、３つの区画が必要なため、小型化には限界がある。また、スピーカのキャビティも筐体の大きさの割には小さなものになり満足できる音質的を実現するのが難しかった。また、デザイン的にも横長になり自由度が高くなかった。
【０００７】
また、特許文献１のものは、操作部は筐体の上側にあり、スピーカユニットが前面に前に向けて設けられているという配置であった。小型のスピーカ装置の場合、自重でユーザの操作を受け止められないため、操作部を上側に設け、ユーザに下向きに操作させるような設計にするのが通常であるが、その結果、スピーカユニットは前向きに設置されることが多く、前向きのスピーカは、ユーザの聴取位置からずれていたり、部屋の空間に音響を広がらせる効果が乏しいという欠点があった。
【０００８】
そこで、本発明は、小型でデザインおよび操作性がよく、かつ、音質のよいスピーカ装置を提供することを目的とする。
【課題を解決するための手段】
【０００９】
本発明のスピーカ装置は、筐体と、筐体の上面の左および右に配置された２チャンネルのスピーカユニットと、筐体の上面の左右方向の中央に設けられたバスレフポートと、バスレフポートに接続されたバスレフダクトと、を備えている。筐体は、２チャンネルのスピーカユニットおよびバスレフダクトを収容する１つのキャビティを内部に有している。バスレフポートは、筐体の上面の一端の近傍に設けられている。バスレフダクトは、筐体の内部で２チャンネルのスピーカユニットの間に配置され、筐体の内部の一端から筐体の他端の側面手前まで伸びている。
【００１０】
上記発明において、筐体の高さをスピーカユニットの高さ（奥行き）の２倍以下にしてもよく、筐体の上面を手前方向に傾斜させてもよい。また、筐体上面に、操作子を備えた操作パネルをさらに備えてもよい。さらに、筐体を、円柱を斜めに切断した形状にしてもよい。
【発明の効果】
【００１１】
この発明によれば、小型でありながら、操作性および音質のよいスピーカ装置を実現することが可能になる。
【図面の簡単な説明】
【００１２】
【図１】この発明の実施形態に係るスピーカ装置の外観斜視図
【図２】スピーカ装置の正面図および側断面図
【図３】スピーカ装置の電子回路のブロック図
【発明を実施するための形態】
【００１３】
以下、図面を参照して本発明の実施形態に係るスピーカ装置について説明する。
図１は、この発明の実施形態に係るスピーカ装置の外観斜視図である。図２（Ａ）は、パネル面の正面図、図２（Ｂ）は右側断面図である。
【００１４】
スピーカ装置１は、主として卓上やベッドサイドに置いて使用されるものであり、円柱を短く切り取ったような形状をしている。上面は、円柱をその中心軸に対して垂直に切断した面になっており略真円である。一方、底面は、円柱をその中心軸に対して約７０度の角度で斜めに切断した面になっており楕円形状である。底面には盆状の底板１０Ａが取り付けられている。したがって、側面は底面の切断角度に合わせて約７０度に傾いており、最も高さの低いところがユーザに対向して設置される位置（手前）、最も高さの高いところがユーザに反対側に設置される位置（奥）である。上述のように短い円柱である筐体１０の径は略２０センチメートル、奥側の高さは略１０センチメートルであり、卓上やベッドサイドに置いても場所を取らない大きさであり、且つ、背が低く安定している。
【００１５】
筐体上面には、中央に円形の開口部１２２を有するドーナッツ状のカバーグリル１２が取り付けられている。また、筐体上面の中央部には、カバーグリル１２の開口部１２２が嵌合する操作パネル１１が設けられている。カバーグリル１２はフレーム１２０と、その上に張られたグリルネット１２１からなる。なお、図２は、カバーグリル１２のうちフレーム１２０のみ取り付けた状態を示している。
【００１６】
カバーグリル１２のフレーム１２０は、音声や光を透過させる部位のみに開口部１２３を有し、それ以外の部位は板状部材でカバーされている。開口部１２３は、左右のスピーカユニット２０，２１に対向する左右の開口部１２３Ｌ，Ｒ、バスレフポート１４と対向する中央手前の開口部１２３Ｃ、デジタル時計兼用のディスプレイ２２に対向する左側手前の開口部１２３Ｄが設けられている。これら開口部１２３は、図１に示すように、使用時には、グリルネット１２１に覆われており、ユーザからは見えない。ただし、図１に示すように、ディスプレイ２２の表示による光は透過する。
【００１７】
筐体１０の上面には、上述したように、左右にスピーカユニット２０，２１、中央にバスレフポート１４、左手前にディスプレイ２２が設けられている。スピーカユニット２０、２１は小型のフルレンジスピーカであり、それぞれ、口径は４センチメートル、定格入力は４Ｗであり、奥行き（高さ）は約６センチメートルである。スピーカユニット２０、２１は、左右対称に配置されているが、スピーカユニット２０、２１の奥行きを収容する深さ（高さ）が必要であるため、筐体１０の前後方向の中央よりも若干奥寄りに取り付けられている。バスレフポート１４は、筐体上面の中央手前に形成されており、このバスレフポート１４にバスレフダクト１５が接続されている。バスレフダクト１５は、バスレフダクト１４のすぐ内側で筐体１０の奥方向に屈曲し、スピーカユニット２０，２１の間を通って筐体１０内部の奥側の側面手前まで伸びている。
【００１８】
筐体１０の奥側底部には、スピーカユニット２０，２１およびバスレフダクト１５があるキャビティ１００と回路ボックス１０１とを気密に仕切る隔壁１０Ｂが設けられている。回路ボックス１０１内部、および、キャビティ１０１内部のスピーカユニット２０，２１の間の操作パネル１１の周辺には、回路基板２５、２６が設けられている。回路基板２５には、主としてオーディオ回路が実装されており、オーディオジャックやＤＣジャックなどの入力部を含んでいる。また、回路基板２６には、制御部５０（図３参照）を含むコントロール回路などが実装されている。
【００１９】
このように、このスピーカ装置１は、高さの低い小型の筐体１０に、電気回路を内蔵するとともに、ステレオのスピーカユニット２０，２１を内蔵したものである。筐体１０の容積が大きくないため、キャビディ１００を左右のスピーカユニット２０，２１で共用し、バスレフポート１４およびバスレフダクト１５も筐体１０の中央に配置して左右チャンネル（左右スピーカユニット２０，２１）で共用している。
【００２０】
また、操作パネル１１は、ドーナッツ状のカバーグリル１２の中央開口部１２２に嵌合する円形のパネルである。操作パネル１１の形状と筐体１０上面（カバーグリル１２）の形状は、略相似形であり、且つ、同心に配置されている。操作パネル１１の中央には電源スイッチ１１０が設けられ、操作パネル１１の周縁部に８個のスイッチ１１１が放射状に設けられている。８個のスイッチ１１１は、左上から時計回りに、クロックスイッチ、アラームスイッチ、チューニング上／下スイッチ、プリセットスイッチ、選択スイッチ（ペアリングスイッチ）、ボリューム＋／−スイッチである。また、選択スイッチとボリューム−スイッチとの間の周縁部に４つのインジケータ１１２が設けられている。各インジケータ１１２は、オーディオ入力としてＢｌｕｅｔｏｏｔｈ、アナログ入力（ＡＵＸ）、ＦＭラジオ（ＲＡＤＩＯ）が選択されているとき、または、目覚まし時計のアラームが選択されているときに点灯する。
【００２１】
以上の構成により、小型であるが「キャビティの容量」「ダクトの断面積」「ダクトの長さ」を充分に取ってステレオで低音部の響きも豊かなスピーカ装置１を実現することができる。また、スピーカユニット２０，２１の方向が、水平や真上向きでなく、７０度の角度に向いているため、卓上やベッドサイドなどの５０〜７０センチメートル程度の高さに置かれた場合に、音の広がりが最適になるようにすることができる。
【００２２】
また、操作パネル１１がスピーカユニット２０，２１と同じ向きで７０度の角度に傾いているため、操作面を操作する力が斜め下方向の、底部で受け止められる力となり、安定した操作が可能となる
スピーカ装置１が卓上やベッドサイドに置かれた場合の操作性が向上した。
【００２３】
図４は、スピーカ装置１の電気回路のブロック図である。スピーカ装置１は、マイコンである制御部５０によって制御される。制御部５０は、回路基板２６上に実装されている。制御部５０は、デジタル時計兼用のディスプレイ２２、スイッチ１１１、インジケータ１１２、および、回路基板２５に接続され、これらを制御する。
【００２４】
回路基板２５にはオーディオ回路が実装されている。回路基板２５には、オーディオ信号を入力する回路として、ＦＭチューナ５２、Ｂｌｕｅｔｏｏｔｈ（登録商標）通信部５３、および、アナログ入力部５４が設けられている。アナログ入力部５４は、オーディオジャック４３を含む。Ｂｌｕｅｔｏｏｔｈ（登録商標）通信部５３またはアナログ入力部５３から入力されたオーディオ信号は、信号処理部５１に入力される。信号処理部５１は、制御部５０の指示にしたがって、オーディオ信号を選択し、入力されたオーディオ信号に対してイコライズ等の処理を行う。処理されたオーディオ信号は、増幅回路５５，５６に入力される。左チャンネルのオーディオ信号は増幅回路５５に入力され、右チャンネルのオーディオ信号は増幅回路５６に入力される。増幅回路５５，５６は、増幅したオーディオ信号を、それぞれスピーカユニット２０，２１に入力する。スピーカユニット２０，２１は、入力されたオーディオ信号を音響として放音する。
【００２５】
Ｂｌｕｅｔｏｏｔｈ通信部５３のペアリング動作、信号処理部５１のイコライズ動作、増幅回路５５，５６のゲインなどは制御部５０が制御する。制御部５０は、スイッチ１１１の操作に応じて、インジケータ１１２やディスプレイ（デジタル時計）２２の表示を変更するとともに、回路基板２５のオーディオ回路の設定を変更する。
【００２６】
この実施形態では、スピーカ装置１の外観を円柱を斜めに切断したような形状としたが、操作パネル１１とスピーカユニット２０，２１を備えた面（上面）が７０度程度の斜め上向きであれば筐体の形状は六角形、八角形などでも良く、円形に限定されない。また、レイアウト、操作性および意匠の観点から、操作パネル１１の形状と筐体１０上面（カバーグリル１２）の形状は、略相似形であり、且つ、同心である（中心点を共有する）ことが望ましい。
【符号の説明】
【００２７】
１  スピーカ装置
１０  筐体
１１  操作パネル
１５  バスレフダクト
２０，２１  スピーカユニット
２５，２６  回路基板
１００  キャビティ
【図１】
0006455006.tif 000002
【図２】
0006455006.tif 000003
【図３】
0006455006.tif 000004